(57)【要約】【課題】原稿の読み取り部に対する原稿幅方向の位置を調整する為の手段が、原稿幅方向に移動しない給紙トレイ上に設けられた、幅規制部材を移動させて幅方向の位置が調整を行う自動原稿給紙装置においては、幅規制部材が調整時に移動する範囲があるため、逆に規制板を最大原稿幅よりも開くことができる。この構成ではユーザは幅規制部材を原稿幅よりも広い状態に設定することが可能であり、原稿の端部を幅規制部材で抑えることができず、画像の幅方向ずれや、画像の斜めずれなどを引き起こすことがある。また横レジの調整がどこで行われても原稿の最大原稿幅以上に広がらなくすることを目的とする。【解決手段】原稿を排紙トレイに排出する自動原稿送り装置で、原稿の搬送方向に対して原稿束の幅規制部材が移動可能に設けられた自動原稿送り装置において、前記幅規制部材が給紙トレイに対して原稿幅方向の移動を予め定められた位置以上に広がることがないように移動防止手段を設けた事を特徴とする自動原稿送り装置。【選択図】  図５
2007217086.tif 000002
【特許請求の範囲】
【請求項１】
原稿を排紙トレイに排出する自動原稿送り装置で、原稿の搬送方向に対して原稿束の幅規制部材が移動可能に設けられた自動原稿送り装置において、前記幅規制部材が給紙トレイに対して原稿幅方向の移動を予め定められた位置以上に広がることがないように移動防止手段を設けた事を特徴とする自動原稿送り装置。
【請求項２】
給紙トレイ上の原稿幅方向に対して原稿束の幅規制部材が原稿幅方向に移動可能な自動原稿送り装置において、前記幅規制部材が前記給紙トレイに対して原稿幅方向の最大原稿幅以上に広がることを防止する防止手段を設けた事を特徴とする自動原稿送り装置。
【請求項３】
請求項２に記載した幅規制部材が最大原稿幅以上に広がることを防止する防止手段が、前記幅規制部材を連動して動かすためのラックおよびピニオンギアのうち、給紙トレイと別体のピニオンギアを保持する部材であることを特徴とする自動原稿送り装置。
【請求項４】
請求項３に記載したピニオンギアを保持する部材に取り付けられたストッパ部材は、幅規制部材もしくは幅規制部材と連結固定された部材若しくは当接する部材で最大原稿幅以上に広がらなくすることを特徴とする自動原稿送り装置。
【請求項５】
前記請求項３に記載したピニオンギアを保持する部材に取り付けられたストッパ部材は、着脱可能で、取り外すことによってさらに前記幅規制部材を広げることができることを特徴とする自動原稿送り装置。
【発明の詳細な説明】
【技術分野】
【０００１】
本発明は自動原稿送り装置およびこれを備えた画像形成装置に関し、特に給紙トレイへの原稿載置時に原稿束の幅規制部材が必要以上に広がることを防ぐことで、良好な画像を得ることができる構成に関する。
【背景技術】
【０００２】
従来、画像形成装置の一例である複写機において、コンタクトガラス上に原稿を載置して、画像読み取りが終了した原稿をコンタクトガラス上から撤去する手数を省く手段として、ページ順に重ねて給紙トレイ上に載置された原稿束から原稿を1枚づつ分離して給紙搬送し、コンタクトガラス上の固定された露光部を、原稿を通過させながら露光し、露光後の原稿を自動的に排紙トレイに排出しスタックする自動原稿送り装置（Ａｕｔｏｍａｔｉｃ  Ｄｏｃｕｍｅｎｔ  Ｆｅｅｄｅｒ、以下ＡＤＦと略する）が利用されている。
ＡＤＦは複写機本体の頂部に設けられたコンタクトガラスの上面を覆うように取り付けられている。
ＡＤＦの上部には給紙トレイが設けられ、その上に載置された原稿束から1枚づつ原稿を分離して給紙する給紙部が設けられている。
一方、原稿束は幅規制部材によって搬送方向に対して垂直な方向の位置を決められることになるが、給紙トレイに載置された原稿の幅方向の位置と、原稿を分離、搬送して読み取る読み取り部の原稿幅方向位置は部品の寸法などにより必ずしも一致しておらず、読み取られた画像が幅方向にずれてしまうことがある。
【０００３】
【特許文献１】特開昭63-288850号    （第６図  第４頁）
【発明の開示】
【発明が解決しようとする課題】
【０００４】
しかしながら、このような幅規制部材の幅方向の調整方法では、幅方向の位置を調整することが可能な領域だけ幅規制部材は移動することができなければならず、使用される原稿の多くは最大幅原稿であり、ユーザは最も幅規制部材を広げた状態を所定位置と認識し得るため、原稿幅よりも広い規制板間に原稿束を載置することがある。
その場合、原稿幅よりも明らかに広い幅の規制板間にある原稿には、本来の規制板の役割である給紙搬送時の原稿斜行防止や、読み取り時の幅方向位置ずれ防止の機能が発揮されなくなってしまうという問題があった。
そこで、本発明はこのような現状に鑑みてなされたものである。
また本発明は、給紙トレイ上の幅規制部材が所定の原稿幅より広がらないストッパ部材が取り付けられており、且つ、読み取り部との原稿幅方向位置ずれの調整を幅方向に移動しない給紙トレイ以外で行うことができる、画像精度の良好な自動原稿送り装置およびこれを備えた画像形成装置を提供することを目的としている。
【課題を解決するための手段】
【０００５】
本発明によれば、原稿を排紙トレイに排出する自動原稿送り装置で、原稿の搬送方向に対して原稿束の幅規制部材が移動可能に設けられた自動原稿送り装置において、前記幅規制部材が給紙トレイに対して原稿幅方向の移動を予め定められた位置以上に広がることがないように移動防止手段を設けた事を特徴とする。
【０００６】
本発明によれば、給紙トレイ上の原稿幅方向に対して原稿束の幅規制部材が原稿幅方向に移動可能な自動原稿送り装置において、前記幅規制部材が前記給紙トレイに対して原稿幅方向の最大原稿幅以上に広がることを防止する防止手段を設けた事を特徴とする。
【０００７】
本発明によれば、幅規制部材が最大原稿幅以上に広がることを防止する防止手段が、前記幅規制部材を連動して動かすためのラックおよびピニオンギアのうち、給紙トレイと別体のピニオンギアを保持する部材であることを特徴とする。
【０００８】
本発明によれば、ピニオンギアを保持する部材に取り付けられたストッパ部材は、幅規制部材もしくは幅規制部材と連結固定された部材若しくは当接する部材で最大原稿幅以上に広がらなくすることを特徴とする。
【０００９】
本発明によれば、ピニオンギアを保持する部材に取り付けられたストッパ部材は、着脱可能で、取り外すことによってさらに前記幅規制部材を広げることができることを特徴とする。
【００１０】
本発明は、ページ順に重ねて給紙トレイ上に載置された原稿束から原稿を1枚づつ分離して給紙搬送し、コンタクトガラス上の固定された露光部を、原稿を通過させながら露光し、露光後の原稿を自動的に排紙トレイに排出しスタックする自動原稿送り装置において、原稿を載置する給紙トレイと、原稿束の幅を規制する幅規制部材を持ち、幅規制部材は原稿搬送方向と垂直方向に幅規制部材間距離一定のもと移動ですることができる原稿位置調整機構をもち、かつその調整機構には幅規制部材を所定原稿幅以上に広がることを防ぐストッパ部材が取り付けられており、かつそのストッパ部材は着脱可能であり、ストッパ部材を外した状態では最大原稿幅よりも広い幅の特殊用紙を搬送することができることを特徴とするものである。
この発明によれば、原稿の位置と、読み取り部の位置を合わせることのできる調整機構をもち、かつその調整機構が調整範囲のどの場所にある場合でも、使用頻度の高い最大原稿幅より開くことがないため、給紙時のスキューを防止することができさらに原稿と読み取り部の幅方向の位置を合わせることができるため、画像精度の高い信頼性の高い原稿自動送り装置を提供することができる。さらにストッパ部材を外すことによりさらに広い幅の原稿も載置することができる。
【発明の効果】
【００１１】
本発明によれば、原稿の読み取り部に対する原稿幅方向の位置を調整する為の手段が、原稿幅方向に移動しない給紙トレイ上に設けられた、幅規制部材を移動させて幅方向の位置が調整を行う自動原稿給紙装置においては、幅規制部材が調整時に移動する範囲があるため、逆に規制板を最大原稿幅よりも開くことができる。
本発明によれば、幅規制部材を最大原稿幅よりも広げない為のストッパ部材が着脱可能にピニオンギアを軸支する部材に取り付けられ、そのストッパ部材が幅規制部材もしくは幅規制部材に固定されたラック部材もしくはピニオンギアの一部に当接することで最大原稿幅以上に幅規制部材を広げないように構成されているので、幅規制部材の調整位置がどの位置であっても、画像の幅方向ずれや、画像の斜めずれを防ぐことができる。
また本発明によれば、ストッパ部材を取り外すことによって、最大原稿幅よりも幅の広い特殊用紙の通紙を行うことも可能となる。
【発明を実施するための最良の形態】
【００１２】
以下に本発明の詳細を述べる。
【実施例１】
【００１３】
以下、本発明の実施例を図面を参照して説明する。
図１は本発明に係わる複写機の画像読取装置に搭載された自動原稿送り装置を示す図であり、図２はその原稿送り装置の主要部を示す図である。
図１において、符号７は画像読取装置１のコンタクトガラス２面上を通過するように原稿を搬送するようになっている。装置１は、コンタクトガラス２を介してランプ等の光源からの光を搬送される原稿に照射し、その反射光をミラー４で反射させてＣＣＤなどの読取手段により光電変換した原稿シートの画像を読み取る。すなわち、コンタクトガラス２上面が装置本体１の読取部を構成している。なお、装置１は原稿を載置可能な面積のコンタクトガラス５も備えており、自動原稿送り装置７を開閉してコンタクトガラス５上面に載置された原稿を光源３やミラー４などからなる光源ユニットを副走査方向に移動させることによってコンタクトガラス５を介して原稿シートの画像を読み取ることもできるようになっている。
自動原稿送り装置７は、複数枚の原稿シートを載置可能な給紙トレイ１５と、給紙トレイ１５上の原稿を１枚づつ分離してコンタクトガラス２に向けて給送、通過させ、コンタクトガラス２上面を通過した原稿シートを受け取って排出する給送部（給送手段）１１と、この給送部１１から排出される画像を読み取られた原稿を収納する排紙トレイ１６とを備えている。
さらに、この原稿送り装置７はコンタクトガラス２上面から排出される原稿シートの排出部１３でスイッチバックさせ、再び給送部１１に送り込みコンタクトガラス２上面に給送させるスイッチバック部１４と、を具備している。ここで、給紙トレイ１５は、ある程度の角度で傾斜して、排紙トレイ１６の上方に空間を確保して配置されている。
給紙トレイ１５に載置された原稿シートは、その側部を規制するサイドガイド１７で規制され、原稿先端ストッパ６０に先端を規制されるようになっている。また、給紙トレイ１５は、載置された原稿シートの先端側の１５ａを支点として、回動自在に取り付けられている。
図１に示す給紙部８は、下降して給紙トレイ１５上の原稿の最上面に接し、原稿を繰り出す昇降自在な繰り出しローラ１８、繰り出しローラ１８によって搬送された最上紙の原稿を給紙する給紙ローラ１９と最上位原稿を１枚のみ通過して２枚目以降の原稿給紙を阻止する分離パット２０で構成された分離手段がある。搬送部９はこの分離手段で１枚に分離された原稿の先端を突き当てて整合した後に下流側に送るレジストローラ対２１で構成され、給紙路２５に沿って原稿シートを給紙する。その後コンタクトガラス２の上流側にコンタクトガラス２に原稿シートを供給する一対の搬送ローラ２２、下流側にコンタクトガラス２から原稿シートを排出する一対の搬送ローラ２３を備えており、原稿シートは本体１側のコンタクトガラス２及びすくい上げガイド６と自動原稿送り装置のバックアップガイド２６ａで形成された搬送路２６にそって搬送される。
図１における排出部１３とスイッチバック部１４は図２に示す排紙トレイ１６側の一部を共有しており、原稿を排紙トレイ１６に排紙する排紙ローラ対２４が設けられている。この排紙ローラ対２４は、後述するように、両面モードの際に原稿の後端をニップした状態で逆回転して原稿をスイッチバックして排出部１３に送るように制御され、さらに排紙ローラ対２４はスイッチバック部１４から搬送部９を介して循環される原稿の先後端がすれ違う際に支障なく搬送できるように排紙駆動ローラ２４ａから排紙従動ローラ２４ｂが離間するように構成されている。また、排出部１３とスイッチバック部１４の共有部には、原稿シートを排出部１３に案内するフラッパ２９が設けられている。このフラッパ２９は常時付勢バネ（図示せず）で下方に付勢されており、原稿が排紙路２７に沿って排紙ローラ対２４に送られる際には、排紙される原稿先端により上方に押しあがり原稿の通過を許容し、排紙ローラ対２４にて原稿をスイッチバックする際には下方に位置して排紙路２７を塞ぎ、スイッチバック路２８に原稿を案内するように構成されている。
排紙路２７は、コンタクトガラス２に対向して設けられたバックアップガイド２６ａを延設した排紙上ガイド２７ａと、排紙トレイ１６と一体に樹脂形成された排紙下ガイド２７ｂで形成され、スイッチバック路２８は、フラッパ２９の原稿案内面に連続して設けられたスイッチバック下ガイド２８ｂとスイッチバック上ガイド２８ａとで原稿をレジストローラ対２１のニップ点に案内するように形成されている。
ここで、給紙路２５は、図３に示すように上ガイド板２５ａおよび下ガイド２５ｂが対向して形成されており、上ガイド板２５ａは回動支点１０ｃに回動可能に支持された外装カバー１０ａに固設されて一体に反時計回りに回動されることにより開閉することができるようになっている。なお、外装カバー１０ａには繰り出しローラ１８や給紙ローラ１９、レジストローラ対２１の従動ローラ２１ｂが配設されて一体に回動するようになっている。
また、スイッチバック上ガイド２８ａは、図４に示すように給紙下ガイド２５ｂと一体に形成されており、この一体ガイドは排紙駆動ローラ２４ａの回転軸を支点として時計方向に回動可能に支持されている。なお、スイッチバック上ガイド２８ａと給紙下ガイド２５ｂを一体としたガイドには分離パット２０および分離パット２０の付勢ばね２０ａが取り付けられ、一体回動するようになっている。
上記のような自動原稿送り装置７において、読み取り部５０の読み取り位置と給紙トレイ１５上に載置される原稿の幅方向の位置はずれることがあり、ずれた状態にて原稿を搬送、読み取りを行うと出力される原稿の幅方向の位置がずれて印刷されてしまう。これを防ぐ為に給紙トレイ１５上の原稿幅規制部材の位置を幅方向に移動させ、読み取り位置と、給紙トレイ１５上の原稿の位置を合わせることのできる調整機構をもっている。
図５は給紙トレイ１５の幅規制部材の構成である。
幅規制部材１７ａ、ｂは給紙トレイ１５の幅方向に移動可能なラック４１ａ、ｂと固定されることで、幅方向に移動する。対向するラック４１ａ、ｂの間にはピニオンギア４２が配置され、ラック４１ａ、ｂとピニオンギア４２は歯によって連結されている。ピニオンギア４２はボリュームホルダ４３に取り付けられた回転軸によって軸支され、軸中心に回転可能となっている。ボリュームホルダ４３は給紙トレイ１５上に固定されるが、ボリュームホルダ４３、ピニオンギア４２は原稿幅方向に移動可能となっている。更に、ボリュームホルダ43には、ストッパ部材４５が取り付けられ、幅規制部材１７ａ、ｂの移動範囲を規制するように設けられている。かかるストッパ部材４５はボリュームホルダ４３に着脱可能に設ければ、幅規制部材の移動範囲を拡大することができるので、規格外の紙を取り扱うことができる。
【００１４】
このような構成とすることにより、例えば、図６の（ａ）に示す状態にある幅規制部材１７ａを幅方向に移動させると幅規制部材１７ａに固定されたラック４１ａが移動され、ラック４１ａと噛合っているピニオンギア４２は回転させられ、その回転量は対向したラック４１ｂ、および幅規制部材１７ｂに伝えられ、ラック４１ａ、幅規制部材１７ａと同じ距離だけ幅規制部材１７ｂが移動することができ、例えば、図６の（ｄ）に示すように常に原稿の中心位置を一定に合わせて幅規制部材の位置を移動することができる。一方、原稿の位置と読み取り部５０の位置をあわせるための調整はボリュームホルダ４３を原稿幅方向に移動させることにより、例えば、図６の(ａ)から（ｂ）の位置に移動し、ボリュームホルダ４３に軸支されたピニオンギア４２も移動させられ、これに伴いラック４１ａ、ｂに固定された幅規制部材１７ａ、ｂもボリュームホルダ４３の移動量と同じだけずれることになり、原稿の読み取り位置に対する幅方向位置を調整することができる。さらに図６の（ａ）の状態から図６の（ｃ）の状態に移動することもできる。
【００１５】
ここで、原稿の幅方向位置についての調整量を原稿幅方向の奥、手前両方向にＹづつ取るとすると、少なくとも幅規制部材は調整量Ｙ平行移動した状態で幅規制部材１７ａ、ｂ間の距離が最大限高幅Ｘ以上に広がらなければならないため、これを満たす領域内に幅規制部材１７ａ、ｂ、およびラック４１ａ、ｂの移動を妨げるものが存在してはならない。
一方、図６（ｂ）、（ｃ）に示すように幅規制部材１７ａ、ｂの調整をＹ移動させた所で、幅規制部材１７ａ、ｂもしくはラック４１ａ、ｂがそれ以上広がらない規制部４４ａ、ｂに接触する構成とした場合、原稿幅方向の位置調整が調整量Ｙ＝０の時には幅規制部材１７ａ、ｂはそれぞれ規制部４４ａ、ｂに接触するまで広がってしまうことになる。つまり最大原稿幅Ｘに対し、片側Ｙづつ幅規制部材１７ａ、ｂが広がりＸ＋２Ｙまで幅規制部材間距離が広がることになる。
幅規制部材１７ａ、ｂの機能は、読み取り部５０位置と原稿位置がずれないようにする事、また原稿搬送時に原稿が読み取り部５０に対して斜めに搬送されることを防ぐ事であり、原稿端部と幅規制部材が大きく離れてしまうと、その機能を発揮することができなくなる。しかしながら最大原稿幅の原稿は最も多く使用される原稿の幅であることが多いため、ユーザは幅規制部材を開くことが可能である最大の位置に開いた状態で使用する場合が多く、それに対し上記のような幅規制部材の幅方向位置調整方法では、例えば、最大原稿幅２９７ｍｍ＋４ｍｍ＝３０１ｍｍと広がることができる為、その機能を十分に発揮させることができない場合がある。
これを防ぐ為に、ボリュームホルダ４３に対し図６（ｅ）に示すようなストッパ部材４５を取り付け、ストッパ部材４５を幅規制部材１７ａ、ｂ間の距離が最大原稿幅となった所で幅規制部材１７ａまたはラック４１ａに当接し、それ以上広がることができないように設定することで、原稿幅方向の幅規制部材位置調整をいずれの位置で行った場合でも、ボリュームホルダ４３と幅規制部材ストッパ部材４５の位置関係は常に一定である為、最大原稿幅以上に広がることを防ぐことができる。ストッパ部材４５が幅規制部材１７ａ、17ｂ間の距離が最大原稿幅となった所で当接する部材は１７ｂ、４１ｂでも同様の効果を得ることができる。
またストッパ部材４５はボリュームホルダ４３に対し着脱可能に取り付けて、ストッパ部材を取り除いた場合には最大原稿幅よりも幅規制板間距離を広くすることができる為、最大原稿幅よりも幅の広い特殊用紙を送ることも可能である。
【図面の簡単な説明】
【００１６】
【図１】本発明の実施形態の原稿送り装置の概略正面断面図である。
【図２】本発明の実施形態の原稿送り装置の原稿搬送経路の拡大図である。
【図３】外装カバーを開いたときの原稿送り装置の概略正面断面図である。
【図４】外装カバーとスイッチバック部とを開いたときの原稿送り装置の概略正面断面図である。
【図５】原稿送り装置における給紙トレイの概略構成の図である。
【図６】原稿送り装置における給紙トレイでの使用状態である。
【符号の説明】
【００１７】
１５    給紙トレイ
１６    排紙トレイ
１７ａ    幅規制板ａ
１７ｂ    幅規制板ｂ
４５    ストッパ部材
【図１】
2007217086.tif 000003
【図２】
2007217086.tif 000004
【図３】
2007217086.tif 000005
【図４】
2007217086.tif 000006
【図５】
2007217086.tif 000007
【図６】
2007217086.tif 000008